(57)【要約】【課題】コンパクト化や使用材料の削減を図るとともに、実験に使用する部材の確実な直立支持や、固定を可能とし、作業性および安全性を向上させたマイクロスケール実験器具およびマイクロスケール実験キットを提供する。【解決手段】本願発明のマイクロスケール実験器具１は、試料を収納する中空柱状のウェル４を形成したマルチウェルプレート２と、マルチウェルプレート２の上部を被覆する蓋プレート３とからなり、蓋プレート３は、少なくも１つのウェル４と対向する位置に、シリンジ３７および板状部材を含む実験部材を支持する貫通部５を形成してなり、マルチウェルプレート２は、ウェル４の形成面とは反対側の下面１２に中空柱状の凹部１５を形成するとともに、マルチウェルプレート２の上面１１および下面１２の各外側縁部に側壁部１３，１４を形成した。【選択図】図５
2014000503.tif 000002
【特許請求の範囲】
【請求項１】
試料を収納する中空柱状のウェルを形成したマルチウェルプレートと、
前記マルチウェルプレートの上部を被覆する蓋プレートと、
からなり、
前記蓋プレートは、少なくとも１つの前記ウェルと対向する位置に、シリンジおよび板状部材を含む実験部材を支持する貫通部を形成してなるマイクロスケール実験器具において、
前記マルチウェルプレートは、前記ウェルの形成面とは反対側の下面に中空柱状の凹部を形成するとともに、
前記マルチウェルプレートの上面および下面の各外側縁部に側壁部を形成したことを特徴とするマイクロスケール実験器具。
【請求項２】
前記蓋プレートは、全てのウェルと対向する位置に、前記貫通部を形成したことを特徴とする、請求項１に記載のマイクロスケール実験器具。
【請求項３】
前記貫通部は、前記シリンジを支持する穴部を含み、該穴部の、前記蓋プレート裏面外縁部には、前記シリンジを直立支持する凸部を下方へ向けて形成したことを特徴とする、請求項１に記載のマイクロスケール実験器具。
【請求項４】
前記貫通部は、前記板状部材を支持する長穴部を含み、該長穴部の、前記蓋プレート裏面外縁部には、前記板状部材を直立支持する突起部を下方へ向けて形成したことを特徴とする、請求項１に記載のマイクロスケール実験器具。
【請求項５】
請求項１〜４に記載のマイクロスケール実験器具を収納する収納部と、該収納部を被覆する蓋部とからなるマイクロスケール実験キット。
【請求項６】
前記蓋部の裏面には、乾電池を支持する支持部を形成したことを特徴とする、請求項５に記載のマイクロスケール実験キット。
【請求項７】
前記蓋部の裏面には、前記マルチウェルプレートを固定する固定部を形成したことを特徴とする、請求項５に記載のマイクロスケール実験キット。
【発明の詳細な説明】
【技術分野】
【０００１】
本発明は、試料を収納する中空柱状のウェルを形成したマルチウェルプレートと、このマルチウェルプレートの上部を被覆する蓋プレートとからなり、蓋プレートは、少なくとも１つのウェルと対向する位置に、シリンジおよび板状部材を含む実験部材を支持する貫通部を形成してなるマイクロスケール実験器具に関し、より詳細には、マルチウェルプレートは、ウェルの形成面とは反対側の底面に中空柱状の凹部を形成するとともに、マルチウェルプレートの上面および下面の各外側縁部に側壁部を形成し、操作性および安全性を向上させたマイクロスケール実験器具に関する。
【背景技術】
【０００２】
近年、従来に比して実験スケールを１／１０〜１／１００程度に縮小し、使う試薬を少なくして実験する「マイクロスケール実験」が、環境に配慮するグリーンケミストリーの考えに基づいて、例えば中学生や高校生などの生徒を対象とした理科実験において日本の教育現場で普及しつつある。このようなマイクロスケール実験としては、（１）金属および金属イオンの反応、（２）酸と塩基の実験：酸性とアルカリ性、酸塩基指示薬、中和、塩の加水分解、緩衝溶液、（３）電池：ボルタ、ダニエル、鉛蓄電池、燃料電池、（４）塩化銅水溶液をはじめとするいろいろな電解質水溶液の電気分解、（５）酸化還元反応：金属のイオン化傾向、（６）化学平衡の実験、（７）化学反応の反応速度の実験、（８）水の電気分解の実験、（９）爆鳴気の実験、などを例示することができる。
【０００３】
上記のような実験を、例えば特許文献１に示すような、試料を収納する中空柱状のウェルが形成されたマルチウェルプレートと蓋プレートとからなり、蓋プレートは、少なくとも１つのウェルと対向する位置に、マイクロスケール実験に使用する部材を支持する貫通孔を形成したマイクロスケール実験器具が収納されたマイクロスケール実験キットを用いて行うものがある。
【０００４】
これは、蓋プレートに貫通孔を形成するという簡易な構成で実験部材を支持することができるため、学生実験において使用する生徒各人が、簡便にマイクロスケール実験を行うことができるものである。また、貫通孔の形状を多種配設することで、上述したような各種のマイクロスケール実験に対応することができる。さらに、蓋部に貫通孔が形成されたものであり、他の支持部材を必要としないため、安価にマイクロスケール実験キットを提供するものがある。
【先行技術文献】
【特許文献】
【０００５】
【特許文献１】特開２０１１−１６０６９号公報
【発明の概要】
【発明が解決しようとする課題】
【０００６】
しかしながら、このような特許文献１に記載のマイクロスケール実験器具では、蓋プレートに形成した貫通孔に、例えば水の電気分解実験に用いるシリンジなど、実験に使用する部材を支持させる際、厚みの薄い蓋プレートの貫通孔に、このようなシリンジを直立支持させようとするため、傾いて支持されるシリンジもあり、実験をし辛いという問題があった。また、マルチウェルプレートは、１枚のマルチウェルプレートのウェル形成面でしか実験をすることができず、多種類の実験を行う場合にはプレート上に多くのウェルを形成しなければならず、貫通孔を有する蓋プレートとともにマルチウェルプレートおよび蓋プレート全体の大きさが大きくなり、マイクロスケール実験器具のコンパクト化や使用材料の削減をすることができなかった。さらには、マイクロスケール実験キットから乾電池やマイクロスケール実験器具などの収納物を取出して実験に使用する際、それら乾電池が倒れたり、マイクロスケール実験器具が滑るなどして実験の作業性が悪いという問題もあった。
このため、本発明では、コンパクト化や使用材料の削減を図るとともに、実験に使用する部材の確実な直立支持や、固定を可能とし、作業性および安全性を向上させたマイクロスケール実験器具およびマイクロスケール実験キットを提供するものである。
【課題を解決するための手段】
【０００７】
このため、請求項１に記載の発明は、試料を収納する中空柱状のウェルを形成したマルチウェルプレートと、前記マルチウェルプレートの上部を被覆する蓋プレートとからなり、前記蓋プレートは、少なくとも１つの前記ウェルと対向する位置に、シリンジおよび板状部材を含む実験部材を支持する貫通部を形成してなるマイクロスケール実験器具において、前記マルチウェルプレートは、前記ウェルの形成面とは反対側の下面に中空柱状の凹部を形成するとともに、前記マルチウェルプレートの上面および下面の各外側縁部に側壁部を形成したことを特徴とする。
【０００８】
請求項２に記載の発明は、請求項１に記載のマイクロスケール実験器具において、前記蓋プレートは、全てのウェルと対向する位置に、前記貫通部を形成したことを特徴とする。
【０００９】
請求項３に記載の発明は、請求項１に記載のマイクロスケール実験器具において、前記貫通部は、前記シリンジを支持する穴部を含み、該穴部の、前記蓋プレート裏面外縁部には、前記シリンジを直立支持する凸部を下方へ向けて形成したことを特徴とする。
【００１０】
請求項４に記載の発明は、請求項１に記載のマイクロスケール実験器具において、前記貫通部は、前記板状部材を支持する長穴部を含み、該長穴部の、前記蓋プレート裏面外縁部には、前記板状部材を直立支持する突起部を下方へ向けて形成したことを特徴とする。
【００１１】
請求項５に記載の発明は、請求項１〜４に記載のマイクロスケール実験器具を収納する収納部と、該収納部を被覆する蓋部とからなるマイクロスケール実験キット。
【００１２】
請求項６に記載の発明は、請求項５に記載のマイクロスケール実験キットにおいて、前記蓋部の裏面には、乾電池を支持する支持部を形成したことを特徴とする。
【００１３】
請求項７に記載の発明は、請求項５に記載のマイクロスケール実験キットにおいて、前記蓋部の裏面には、前記マルチウェルプレートを固定する固定部を形成したことを特徴とする。
【発明の効果】
【００１４】
請求項１に記載の発明によれば、試料を収納する中空柱状のウェルを形成したマルチウェルプレートと、マルチウェルプレートの上部を被覆する蓋プレートとからなり、蓋プレートは、少なくとも１つのウェルと対向する位置に、シリンジおよび板状部材を含む実験部材を支持する貫通部を形成してなるマイクロスケール実験器具において、マルチウェルプレートは、ウェルの形成面とは反対側の下面に中空柱状の凹部を形成するとともに、マルチウェルプレートの上面および下面の各外側縁部に側壁部を形成したので、マルチウェルプレートの下面に形成した凹部を用いて、例えば酸性・アルカリ性の強さの判断試験などの実験を行うことができ、１枚のマルチウェルプレートの上下両面を利用して、多種類の実験を行えることで、マイクロスケール実験器具のコンパクト化および製造材料の削減をすることができる。また、ウェル内や凹部内に試料を投入して実験を行った際、試料がウェル内や凹部内から溢れ出たとしても、それら試料が側壁部により堰き止められるため、マルチウェルプレートからこぼれ出すことがなく、周囲を汚すことなく良好な環境で実験を行うことができる。従って、作業性の向上や環境問題に配慮したマイクロスケール実験器具を提供することができる。
【００１５】
請求項２に記載の発明によれば、蓋プレートは、全てのウェルと対向する位置に、貫通部を形成したので、全てのウェルの蓋部分に貫通部を有し、各実験に対応した実験部材を、貫通部を介していずれかのウェルに挿入支持させることができる。従って、多種類の実験を１つのマイクロスケール実験器具で行うことができる。なお、貫通部とは、様々な形状の貫通孔を少なくとも１つ以上含む一定の面積を有する平面と定義する。
【００１６】
請求項３に記載の発明によれば、貫通部は、シリンジを支持する穴部を含み、この穴部の、蓋プレート裏面外縁部には、シリンジを直立支持する凸部を下方へ向けて形成したので、シリンジを、確実に貫通部の貫通孔を介してウェルに直立支持させることができる。従って、安全性および作業性を向上させたマイクロスケール実験器具を提供することができる。
【００１７】
請求項４に記載の発明によれば、貫通部は、板状部材を支持する長穴部を含み、この長穴部の、蓋プレート裏面外縁部には、板状部材を直立支持する突起部を下方へ向けて形成したので、ろ紙などを、確実に貫通部の貫通孔を介してウェルに直立支持させることができる。従って、安全性および作業性を向上させたマイクロスケール実験器具を提供することができる。
【００１８】
請求項５に記載の発明によれば、マイクロスケール実験器具を収納する収納部と、この収納部を被覆する蓋部とからなるマイクロスケール実験キットとするので、マイクロスケール実験器具を含む実験部材を容易に持ち運び可能とし、所定の場所であればどこでも実験を行うことができる。従って、利便性を向上させたマイクロスケール実験器具を提供することができる。
【００１９】
請求項６に記載の発明によれば、マイクロスケール実験キット蓋部の裏面には、乾電池を支持する支持部を形成したので、例えば爆鳴気実験などで乾電池を使用する際、蓋部裏面の支持部に乾電池を固定支持させることにより、実験中に乾電池の転倒を防ぎ、正確かつ安全に実験を行うことができる。従って、安全性および作業性を向上させたマイクロスケール実験器具を提供することができる。
【００２０】
請求項７に記載の発明によれば、マイクロスケール実験キット蓋部の裏面には、マルチウェルプレートを固定する固定部を形成したので、マルチウェルプレートを用いた各種実験の際、蓋部裏面の固定部にマルチウェルプレートを固定させることで、マルチウェルプレートが滑ってずれることなく、正確かつ安全に実験を行うことができる。従って、安全性および作業性を向上させたマイクロスケール実験器具を提供することができる。
【図面の簡単な説明】
【００２１】
【図１】本発明の一例を示す、マイクロスケール実験器具の全体斜視図である。
【図２】マイクロスケール実験器具を構成するマルチウェルプレートの平面図である。
【図３】図２におけるマルチウェルプレートのＸ−Ｘ'線の横断面図である。
【図４】マルチウェルプレート上面側の外側縁部に形成した側壁部を示すマルチウェルプレートの斜視図である。
【図５】マルチウェルプレートの下面に凹部および外側縁部に側壁部を形成したマルチウェルプレート下面側の斜視図である。
【図６】マルチウェルプレート下面側の外側縁部に形成した側壁部を示すマルチウェルプレート下面側の斜視図である。
【図７】マイクロスケール実験器具を構成する蓋プレートの底面図である。
【図８】図７における蓋プレートのＸ−Ｘ'線の横断面図である。
【図９】蓋プレートに形成した貫通孔であって、シリンジを支持する穴部の蓋プレート裏面外縁部に形成した凸部を示す蓋プレート下面の斜視図である。
【図１０】蓋プレートに形成した貫通孔であって、板状部材を支持する長穴部の蓋プレート裏面外縁部に形成した突起部を示す蓋プレート下面の斜視図である。
【図１１】マルチウェルプレートの上面を蓋プレートで覆設したマイクロスケール実験器具の図７に示すＸ−Ｘ'線の横断面図である。
【図１２】図２に示すマルチウェルプレートのウェルと、図７に示す蓋プレートの環状突出部との符号対応図および各環状突出部に形成した貫通孔の番号説明図である。
【図１３】環状突出部の内側に線状の貫通孔が少なくとも２つ形成された環状突出部Ａの使用方法の説明図であり、その使用態様の一例を示す部分横断面図（ａ）および貫通孔の平面視した形状の説明図（ｂ）である。
【図１４】環状突出部の内側に線状の貫通孔が少なくとも２つ形成された環状突出部Ｄの使用方法の説明図であり、その使用態様の一例を示す部分横断面図（ａ）および貫通部を平面視した貫通孔の説明図（ｂ）である。
【図１５】環状突出部Ｈの内側に、両端が円形の線状の貫通孔を挟んで同径の２つの円形の貫通孔が形成された環状突出部Ｈの使用方法を説明する図であり、その使用態様の一例の部分横断面図（ａ）および貫通部を平面視した貫通孔の説明図（ｂ）である。
【図１６】環状突出部Ｅの内側に円形などの貫通孔を形成した環状突出部Ｅおよび環状突出部Ｇの内側に円形の貫通孔を形成した環状突出部Ｇの使用方法を説明する図であり、その使用態様の一例の部分横断面図（ａ）および貫通部を平面視した貫通孔の説明図（ｂ）である。
【図１７】環状突出部Ｆの内側に、円形の貫通孔および線状の貫通孔が形成した環状突出部Ｆの使用方法を説明する図であり、その使用態様の一例の部分横断面図（ａ）および貫通部を平面視した貫通孔の説明図（ｂ）である。
【図１８】マルチウェルプレートの凹部の使用方法を説明した、その使用態様の一例を示す斜視図である。
【図１９】本発明のマイクロスケール実験キットの斜視図である。
【図２０】乾電池を支持するために形成した支持部（ａ）および支持部に固定した乾電池（ｂ）を示すマイクロスケール実験キットの蓋部の斜視図である。
【図２１】マイクロスケール実験器具を支持するために形成した支持部（ａ）および支持部に固定したマイクロスケール実験器具（ｂ）を示すマイクロスケール実験キットの蓋部の斜視図である。
【発明を実施するための形態】
【００２２】
以下、図面を参照しつつ本発明を実施するための最良の形態について説明する。図１は本発明の一例を示す、マイクロスケール実験器具の全体斜視図、図２はマイクロスケール実験器具を構成するマルチウェルプレートの平面図、図３は図２におけるマルチウェルプレートのＸ−Ｘ'線の横断面図、図４はマルチウェルプレート上面側の外側縁部に形成した側壁部を示すマルチウェルプレートの斜視図、図５はマルチウェルプレートの下面に凹部および外側縁部に側壁部を形成したマルチウェルプレート下面側の斜視図、図６はマルチウェルプレート下面側の外側縁部に形成した側壁部を示すマルチウェルプレート下面側の斜視図である。
【００２３】
図１に示すように、本願発明のマイクロスケール実験器具１は、例えば中学生や高校生などの生徒（小学生や大学生、あるいは社会人であってもよい）を対象とし、多種類の実験用途に対応可能とした理科実験に用いるものであり、試料を収納する中空柱状のウェル４が形成されたマルチウェルプレート２と、ウェル４上面を被覆する蓋プレート３とからなり、蓋プレート３は、少なくとも１つのウェル４と対向する位置に、マイクロスケール実験に使用する、後述するシリンジ３７や亜鉛板３１などの板状部材を含む実験部材を支持可能とする貫通部５が形成されている。なお、図１に示したように、矢印イ、ロ、ハ,ニ、ホ、ヘの方向から見たものを、それぞれ正面（イ）、背面（ロ）、側面（ハ,ニ）、平（上）面（ホ）、底（下）面（ヘ）とし、マイクロスケール実験器具１、マルチウェルプレート２、蓋プレート３において共通の定義とする。
【００２４】
まず、マルチウェルプレート２について説明する。図２〜４に示すように、このマルチウェルプレート２は、上面１１に、中空柱状のウェル４が、縦横方向に４×２で配列される態様を示す。また、図４および図６に示すように、上面１１および下面１２の各外側縁部には、これらに垂設した側壁部１３，１４が全周に亘って形成されている。
【００２５】
この側壁部１３，１４により、後述するウェル４内や凹部１５内に試料を投入して実験を行った際、試料がウェル４内や後述する凹部１５内から溢れ出たとしても、それら試料が側壁部１３，１４により堰き止められるため、マルチウェルプレート２からこぼれ出すことがなく、周囲を汚すことなく良好な環境で実験を行うことができる。
【００２６】
本発明で使用するウェル４は、中空柱状であればよく、柱状は円柱に限定されるものではない。従って、三角形や正方形、長方形、五角形などの多角形や半円形その他の不定形の柱状であってもよく、これらが２以上組み合わされたものであってもよい。また、各ウェル４のサイズもマイクロスケール実験に好適に使用できるよう、内容量が０．５ｍｌ〜１０.０ｍｌ程度となるようにその高さや面積を選択することができる。また、ウェル４の配列も４×２に限定されるものでなく、マイクロスケール実験に応じて適宜選択することができる。
【００２７】
本願発明のマルチウェルプレート２は、図５〜６に示すように、ウェル４の形成面とは反対側の下面１２に中空柱状の凹部１５が、縦横方向に４×２で配列される態様を示す。
【００２８】
本発明で使用する凹部１５は、全て同じ高さを有し、側壁部１４の高さを超える高さであってもよいが、後述する実験内容により側壁部１４の高さ以下の深さが好ましく、またその形状も中空柱状であればよく、柱状は円柱に限定されるものではない。従って、三角形、正方形、長方形、五角形などの多角形や半円形その他の不定形の柱状であってもよく、これらが２以上組み合わされたものであってもよい。
【００２９】
また、各凹部１５のサイズもマイクロスケール実験に好適に使用できるよう、内容量が、例えば０．５ｍｌ〜１．０ｍｌ程度となるように、上述した側壁部１４の高さ以下の高さや面積を選択することができる。また、凹部１５の配列も２×４に限定されるものでなく、マイクロスケール実験に応じて適宜選択することができる。
【００３０】
次に、蓋プレート３の構成を説明する。図７はマイクロスケール実験器具を構成する蓋プレートの底面図、図８は図７における蓋プレートのＸ−Ｘ'線の横断面図、図９は蓋プレートに形成した貫通孔であって、シリンジを支持する穴部の蓋プレート裏面外縁部に形成した凸部を示す蓋プレート下面の斜視図、図１０は蓋プレートに形成した貫通孔であって、板状部材を支持する長穴部の蓋プレート裏面外縁部に形成した突起部を示す蓋プレート下面の斜視図、図１１はマルチウェルプレートの上面を蓋プレートで覆設したマイクロスケール実験器具の図７に示すＸ−Ｘ'線の横断面図である。
【００３１】
図７〜８に示すように、蓋プレート３は、平面視表面２１と、底面視裏面２２と、側面２３とからなり、表面２１および裏面２２には、少なくとも１つのウェル４と対向する位置に、マイクロスケール実験に使用する実験部材を支持可能とする、様々な形状の貫通孔を含む一定の平面での面積を有する貫通部５が形成されている。
【００３２】
また、この蓋プレート３の裏面２２には、各貫通部５の外周に、環状突出部２５が形成されている。図１１に示すように、蓋プレート３には、蓋プレート３のウェル４に対応し、かつウェル４の上端部の外側に環状突出部２５が形成され、環状突出部２５と、この環状突出部２５内側に形成した貫通部５によって、１つのウェル４に対応した蓋部２６が構成される。
【００３３】
従って、これら環状突出部２５により、各ウェル４との境界部を形成したり、ウェル４の上端部と嵌合させて蓋プレート３のガタツキを抑え、また環状突出部２５によってウェル４内の液密を確保し、溶液の蒸発などを防止することができる。
【００３４】
また、本願発明のマイクロスケール実験器具１におけるマルチウェルプレート２および蓋プレート３の長手方向一側両端部（正面視側）には屈曲部Ｒを形成しているが、このような構成にすることで、マルチウェルプレート２に蓋プレート３を嵌合し、各ウェル４を被覆する際の両者の嵌合を容易に位置決め（向きや対面位置など）でき、蓋プレート３の嵌合を容易なものにできるとともに、マイクロスケール実験器具１を手に持つ際、屈曲部Ｒにより手の触突する負担を軽減できる効果を有するものである。
【００３５】
さらに、本願発明の蓋プレート３では、図９に示すように、貫通部５が、後述するマイクロスケール実験に使用するシリンジ３７（マイクロスケール実験部材、以下実験に使用する部材名はマイクロスケール実験部材）を支持する穴部３０を有し、この穴部３０の、蓋プレート３裏面２２外縁部には、シリンジ３７を直立支持する凸部２７が下方へ向けて垂設されている。
【００３６】
また、本願発明の蓋プレート３では、図１０に示すように、貫通部５が、後述する亜鉛板や、ろ紙などの板状部材を支持する長穴部２８を有し、この長穴部２８の、蓋プレート３裏面２２外縁部には、板状部材を直立支持する突起部２９が下方へ向けて垂設されている。なお、凸部２７および突起部２９は垂設に限定されず傾設させてもよい。
【００３７】
なお、図１１では、ウェル４の上端部の外側に嵌合するように環状突出部２５が形成されているが、環状突出部２５は、ウェル４の上端部の内側に嵌合するように環状に突出するように形成されるものであってもよい。また、蓋プレート３とウェル４の上端部とのガタツキを防止できれば、ウェル４の上端部の全周に形成される環状に限定されるものでもない。
【００３８】
さらに、これら環状突出部２５の形成は任意であり、蓋プレート３の裏面に存在しなくてもよい。これは図示しないが、例えばマルチウェルプレート２は、各ウェル４を上端部で連接させている場合、これに使用する蓋プレート３には、構造上、ウェル４の上端部の外側に突出する環状突出部２５を形成することができない。
【００３９】
そこで、マルチウェルプレート２は、各ウェル４が上端部で連接され、上端部が幅広くかつ平坦であるため、蓋プレート３の裏面２２に環状突出部２５が無くても、蓋プレート３の裏面２２が、マルチウェルプレート２の上端部と密着性に優れ、ウェル４内の溶液の蒸発などを防止することができる。
【００４０】
次に、貫通部５の構成を説明する。貫通部５の形状は、マイクロスケール実験部材を容易に支持できる貫通孔を有するものであれば、特に限定はない。以下、マイクロスケール実験の実際の使用に対応させつつ、貫通部５の形状や使用方法を説明する。
【００４１】
なお、マイクロスケール実験では、ウェル４に試薬や実験部材を投入して使用するため、本願明細書では、マルチウェルプレート２のウェル４と、そのウェル４に対向する蓋部３０を有する蓋プレート３の環状突出部２５とを同じ符号で示す。
【００４２】
図１２は図２に示すマルチウェルプレートのウェルと、図７に示す蓋プレートの環状突出部との符号対応図および各環状突出部に形成した貫通孔の番号説明図である。この図１２に示すように、ウェルＡ〜Ｈおよび環状突出部Ａ〜Ｈを有し、ウェルＡに対応する環状突出部を環状突出部Ａと称し、環状突出部Ａの内側に形成される貫通孔２４を、貫通孔ａ１〜ａ５などで特定し、以下、説明に使用する。
【００４３】
まず、環状突出部Ａの使用方法を例示する。図１３は環状突出部Ａの内側に線状の貫通孔が少なくとも２つ形成された環状突出部Ａの使用方法の説明図であり、その使用態様の一例を示す部分横断面図（ａ）および貫通部を平面視した貫通孔の説明図（ｂ）である。
【００４４】
環状突出部Ａの内側に円形の貫通孔ａ１，ａ５が２つと、線状の貫通孔ａ２，ａ４（長穴部２８）が少なくとも２つおよび中央の円形の貫通孔を介して線状の貫通孔ａ３（長穴部２８）が形成された環状突出部Ａを有する蓋プレート３の蓋部２６を使用して、ボルタ電池の実験を行うことができる。
【００４５】
本発明のマイクロスケール実験器具を使用し、例えば、図１３（図１２に示す）のウェルＡに希硫酸を入れ、ウェルＡの上部を環状突出部Ａが被覆するように蓋部２６を被せ、図１３に示すように、環状突出部Ａに形成された線状の貫通孔ａ２から亜鉛板３１（板状部材）を挿入するとともに、線状の貫通孔ａ４から銅板３２（板状部材）を挿入する。亜鉛板３１と銅板３２とをミノムシクリップなどを介して電圧計につなぎ、電圧を測定する。なお、メロディをつなぐと音を鳴らすことができる。
【００４６】
本発明のマイクロスケール実験器具１によれば、亜鉛板３１や銅板３２を手で把持することなく、貫通孔ａ２，ａ４でこれらを支持するとともに、これら貫通孔ａ２，ａ４の裏面外縁部に形成した突起部２９により亜鉛板３１や銅板３２を安定的に直立支持でき、安定したマイクロスケール実験を行うことができる。
【００４７】
なお、誤って希硫酸などの液体がウェルＡから溢れ出た場合、図１１に示したようにマルチウェルプレート２上面１１の各外側縁部に垂設された側壁部１３により、上面１１枠内に滞留させることで、希硫酸などの液体がマルチウェルプレート２からこぼれ出ず、周囲を汚すことなく良好な環境で実験を行うことができる。
【００４８】
次に、環状突出部Ｄの使用方法を例示する。図１４は環状突出部Ｄの内側に線状の貫通孔が少なくとも２つ形成された環状突出部Ｄの使用方法の説明図であり、その使用態様の一例を示す部分横断面図（ａ）および貫通部を平面視した貫通孔の説明図（ｂ）である。
【００４９】
環状突出部Ｄの内側には、円形の貫通孔ｄ１，ｄ５が２つと、線状の貫通孔ｄ２，ｄ４（長穴部２８）が少なくとも２つおよび中央の円形の貫通孔を介して線状の貫通孔ｄ３（長穴部２８）が形成された環状突出部Ｄを有する蓋プレート３の蓋部２６を使用して、指示薬などを加えた水溶液の電気分解の実験を行うことができる。
【００５０】
本発明のマイクロスケール実験器具を使用し、例えば、図１４（図１２で示す）のウェルＤに硫酸ナトリウム水溶液とフェノールフタレインをいれ、ウェルＤの上部を環状突出部Ｄが被覆するように蓋部２６を被せ、図１４に示すように、環状突出部Ｄに形成された円形の貫通孔ｄ１，ｄ５に鉛筆の芯などからなる電極３４をそれぞれ挿入し、線状の貫通孔ｄ３からろ紙３５を挿入して電極３４を仕切り、この電極３４に電流電圧を印加する。硫酸ナトリウムが電気分解され、ろ紙３５で仕切った一方の電極側に水酸化ナトリウムが生成されると、フェノールフタレインによる赤色を観察することができる。
【００５１】
本発明のマイクロスケール実験器具１によれば、電極３４や、ろ紙３５を手で把持することなく、貫通孔ｄ１，ｄ５，ｄ３でこれらを支持するとともに、貫通孔ｄ３の裏面外縁部に形成した突起部２９により、ろ紙３５を安定的に直立支持でき、安定したマイクロスケール実験を行うことができる。
【００５２】
なお、上述したウェルＡ〜Ｄおよび対応する環状突出部Ａ〜Ｄのいずれかを用いて、次の実験も行うことができるが、以下は上述同様に配置するため、図示および詳細な説明は省略する。
【００５３】
例えば、硫酸ナトリウム溶液や、鉛筆の芯などからなる電極、ミノムシクリップ、９Ｖ乾電池、電子メロディを用いた燃料電池の実験、硫酸銅溶液や、銅板、ミノムシクリップ、ゼムクリップ、９Ｖ乾電池を用いた電気分解による銅メッキ実験、硫酸や鉛板２枚、ミノムシクリップ、９Ｖ乾電池、電子メロディを用いた鉛蓄電池の実験、実験対象とする任意の水溶液や、ステンレス板２枚、ミノムシクリップ、３Ｖ乾電池、電子メロディを用いた水溶液の導電性実験など安定したマイクロスケール実験を行うことができる。
【００５４】
次に、環状突出部Ｈの使用方法を例示する。図１５は環状突出部Ｈの内側に、両端が円形の線状の貫通孔を挟んで同径の２つの円形の貫通孔が形成された環状突出部Ｈの使用方法を説明する図であり、その使用態様の一例の部分横断面図（ａ）および貫通部を平面視した貫通孔の説明図（ｂ）である。
【００５５】
環状突出部Ｈの内側には、両端が円形の線状の貫通孔ｈ２を挟んで同径の２つの円形の貫通孔ｈ１，ｈ３（穴部３０）が形成された環状突出部Ｈを有する蓋プレート３の蓋部２６を使用して、電気分解と気体の発生を観察するマイクロスケール実験を行うことができる。
【００５６】
本発明のマイクロスケール実験器具１を使用し、例えば、図１５（図１２に示す）のウェルＨに水酸化ナトリウム水溶液などの電解質溶液を収納し、ウェルＨの上部を環状突出部Ｈが被覆するように蓋部２６を被せ、蓋部２６の環状突出部Ｈに形成された２つの円形の貫通孔ｈ１，ｈ３からそれぞれ三方活栓を装着し、マチバリ３６を指した目盛を有するシリンジ３７を挿入するとともに、マチバリ３６に図示しない乾電池（９Ｖ）で電流電圧を印加する。
【００５７】
本発明のマイクロスケール実験器具１によれば、環状突出部Ｈに形成された２つの円形の貫通孔ｈ１，ｈ３によってシリンジ３７が支持されるとともに、これら貫通孔ｈ１，ｈ３の、蓋プレート３裏面外縁部に垂設した凸部２７により、シリンジ３７を確実に直立支持できるため、実験者が実験器具を把持することなく、安定してマイクロスケール実験を行うことができる。
【００５８】
なお、上述したウェルＨおよび環状突出部Ｈを用いて塩化銅水溶液の電気分解の実験も行うことができる。本発明のマイクロスケール実験器具を使用すれば、図示しないが、例えばウェルＨに塩化銅水溶液を入れ、ウェルＨの上部を環状突出部Ｈが被覆するように蓋部２６を被せ、蓋部２６の環状突出部Ｈに形成された２つの円形の貫通孔ｈ１，ｈ３からそれぞれ図示しない電極を挿入して、これら電極を固定する。このようにすることで、貫通孔ｈ１，ｈ３の、蓋プレート３裏面外縁部に垂設した凸部２７により、前記電極を確実に直立支持できるため、実験者が実験器具を把持することなく、ウェルＨの塩化銅水溶液中で、＋電極と−電極とが接触するのを防止でき、安定してマイクロスケール実験を行うことができる。
【００５９】
次に、環状突出部Ｅ，Ｇの使用方法を例示する。図１６は環状突出部Ｅの内側に円形などの貫通孔を形成した環状突出部Ｅおよび環状突出部Ｇの内側に円形の貫通孔を形成した環状突出部Ｇの使用方法を説明する図であり、その使用態様の一例の部分横断面図（ａ）および貫通部を平面視した貫通孔の説明図（ｂ）である。
【００６０】
環状突出部Ｅの内側には、円形の貫通孔ｅ１および半円形など（図例では半円を超えた円面積を有する円であるが、限定しない）の貫通孔ｅ２が形成された環状突出部Ｅを有する蓋プレート３の蓋部２６および環状突出部Ｇの内側には、円形の貫通孔ｇ１が形成された環状突出部Ｇを有する蓋プレート３の蓋部２６をそれぞれ使用して、爆鳴気と呼ばれる燃焼実験を行うことができる。
【００６１】
本発明のマイクロスケール実験器具１を使用し、例えば、図１６（図１２に示す）のように、ウェルＥに洗剤液を入れ、ウェルＥ，Ｇの上部を環状突出部Ｅ，Ｇが被覆するように蓋部２６を被せ、蓋部２６の環状突出部Ｇに形成された円形の貫通孔ｇ１からウェルＧに、予めマチバリ３６の電極を差し込み、内部に水酸化ナトリウム水溶液を約３ｍｌ入れたポリスポイト３８を挿入し、このポリスポイト３８の先端を環状突出部Ｅの貫通孔ｅ１から洗剤液を入れたウェルＥに導入して実験をすることができる。マチバリ３６に直流電圧を印加し、ウェルＥに溜まった気体を洗剤液の泡に閉じ込め、この泡に点火すればよい。
【００６２】
本発明のマイクロスケール実験器具１によれば、環状突出部Ｇの内側に形成された円形の貫通孔ｇ１によってポリスポイト３８の胴部を支持することができるとともに、環状突出部Ｅの内側に形成された貫通孔ｅ１によってポリスポイト３８の先端を支持することができ、実験者が実験器具を把持することなく、安定してマイクロスケール実験を行うことができる。
【００６３】
次に、環状突出部Ｆの使用方法を例示する。図１７は環状突出部Ｆの内側に、円形の貫通孔および線状の貫通孔が形成した環状突出部Ｆの使用方法を説明する図であり、その使用態様の一例の部分横断面図（ａ）および貫通部を平面視した貫通孔の説明図（ｂ）である。
【００６４】
環状突出部Ｆの内側には、円形の貫通孔ｆ１と線状の貫通孔ｆ２とが形成された環状突出部Ｆを有する蓋プレート３の蓋部２６を使用して、半透膜を使用するダニエル電池の実験を行うことができる。
【００６５】
本発明のマイクロスケール実験器具１を使用すれば、例えば、図１７（図１２に示す）のように、ウェルＦに硫酸銅水溶液をいれ、ウェルＦの上部を環状突出部Ｆが被覆するように蓋部２６を被せ、蓋部２６の環状突出部Ｆに形成された円形の貫通孔ｆ１からウェルＦに亜鉛板３１が挿入された半透膜３９を挿入し、線状の貫通孔ｆ２に銅板３２を挿入する。
【００６６】
本発明のマイクロスケール実験器具１によれば、環状突出部Ｆの内側に形成された円形の貫通孔ｆ１によって半透膜３９を支持し、線状の貫通孔ｆ２によって銅板３２を支持することができ、実験者が実験器具を把持することなく、安定してマイクロスケール実験を行うことができる。
【００６７】
次に、マルチウェルプレート２のウェル４形成面とは反対側の下面１２に形成した凹部１５の使用方法を例示する。図１８はマルチウェルプレートの凹部の使用方法を説明した、その使用態様の一例を示す斜視図である。
【００６８】
本願発明のマルチウェルプレート２は、図１８のように、ウェル４の形成面とは反対側の下面１２に形成された中空柱状の凹部１５を使用して、酸性・アルカリ性の強さを調べる実験を行うことができる。
【００６９】
本発明のマイクロスケール実験器具１を使用すれば、図１８に示すように、マルチウェルプレート２を裏返し、例えば、凹部１５ａ〜１５ｇに同量の紫キャベツ抽出液を入れるとともに、凹部１５ｈには標準液を入れ、各凹部１５ａ〜１５ｇの紫キャベツ抽出液に、予め水で薄めて調製し、強酸、やや強い酸、弱酸とした三段階の濃度を有する希塩酸、および予め水で薄めて調製し、強アルカリ、やや強いアルカリ、弱アルカリとした三段階の濃度を有する水酸化ナトリウム溶液からそれぞれの液を加え、凹部１５ａ〜１５ｈの７段階の色の違いで酸性、アルカリ性の強さを判断する。
【００７０】
本発明のマイクロスケール実験器具１によれば、マルチウェルプレート２の下面の凹部１５によって、酸性、アルカリ性の強さを判断する実験が行えるため、１枚のマルチウェルプレート２の上下両面を利用して、多種類の実験を行えることで、マイクロスケール実験器具のコンパクト化および製造材料の削減をすることができる。
【００７１】
また、凹部１５内に試料を投入して実験を行った際、試料が凹部１５内から溢れ出たとしても、それら試料が側壁部１４により堰き止められるため、マルチウェルプレート２からこぼれ出すことがなく、周囲を汚すことなく良好な環境で実験を行うことができる。
【００７２】
上述してきた本発明のマイクロスケール実験器具１は、以下に記すマイクロスケール実験キットに収納することができる。図１９は本発明のマイクロスケール実験キットの斜視図、図２０は乾電池を支持するために形成した支持部（ａ）および支持部に固定した乾電池（ｂ）を示すマイクロスケール実験キットの蓋部の斜視図、図２１はマイクロスケール実験器具を支持するために形成した支持部（ａ）および支持部に固定したマイクロスケール実験器具（ｂ）を示すマイクロスケール実験キットの蓋部の斜視図である。
【００７３】
図１９に示すように、マイクロスケール実験キット４１は、マイクロスケール実験器具１を収納する収納部４２と、該収納部４２を被覆する蓋部４３とから構成される。
【００７４】
マイクロスケール化学の実験例として、水の電気分解実験および爆鳴気として、前記マイクロスケール実験器具、９Ｖ乾電池、ミノムシクリップ（ワニ口クリップ（赤黒））、ポリピペット、ステンレス製マチバリ、水酸化ナトリウムや炭酸ナトリウムなどの電解質、石鹸水を使用する。
【００７５】
また、電気分解と気体の発生を観察する体積比に関する実験としては、前記マイクロスケール実験器具、９Ｖ乾電池、ミノムシクリップ（赤黒）、シリンジ、ステンレス針、ゴム管、三方活栓、水酸化ナトリウムや炭酸ナトリウムなどの電解質を使用する。
【００７６】
また、ダニエル電池に関する実験として、前記マイクロスケール実験器具、亜鉛板、銅板、半透膜、硫酸銅水溶液、硫酸亜鉛水溶液、電圧計、メロディを使用する。また、鉛蓄電池に関する実験として、前記マイクロスケール実験器具、９Ｖ乾電池、ミノムシクリップ（赤黒）、鉛板、硫酸、電圧計、メロディを使用する。
【００７７】
また、ボルタ電池に関する実験として、前記マイクロスケール実験器具、亜鉛板、銅板、硫酸、電圧計、メロディを使用する。また、指示薬などを加えた水溶液の電気分解の実験として、前記マイクロスケール実験器具、９Ｖ乾電池、ミノムシクリップ（赤黒）、炭素棒、硫酸ナトリウム、ＢＴＢ、フェノールフタレイン溶液などを使用する。
【００７８】
以上のような実験部材（試薬を含む）が、図２０に示すような配置で収納部４２に形成された各凹部内に適宜収容されるが、その配置や組み方などの収容方法は限定されるものではない。
【００７９】
そして、蓋部４３の裏面には、図２０に示すように、上述した実験に用いるマイクロスケール実験部材としての乾電池４４を支持する支持部４５を形成することができる。
【００８０】
この支持部４５の形状は特に限定するものではないが、乾電池４４を周囲から嵌合固定可能とする凸部を、蓋部４３の裏面に形成したものであり、上述の実験に乾電池４４を使用する場合、図２１（ｂ）に示すように、この乾電池４４を支持部４５に嵌合固定させることで、実験中に乾電池４４が倒れることなく、安全かつ確実にマイクロスケール実験を行うことができる。
【００８１】
また、蓋部４３の裏面には、図２１に示すように、マイクロスケール実験器具１を支持する支持部４６を形成することができる。
【００８２】
この支持部４６の形状も特に限定するものではないが、マイクロスケール実験器具１を周囲から嵌合固定可能とする凸部を、蓋部４３の裏面に形成したものであり、上述した実験にマイクロスケール実験器具１を使用する場合、図２２（ｂ）に示すように、このマイクロスケール実験器具１を支持部４６に嵌合固定させることで、実験中にマイクロスケール実験器具１がずれ動くことがなく、安全かつ確実にマイクロスケール実験を行うことができる。
【００８３】
なお、上述した支持部４５，４６は、蓋部４３の裏面に、どちらか一方あるいは双方を形成してもよく、また、それらの形成位置は図例に限定されない。
【００８４】
本発明のマイクロスケール実験器具１および、このマイクロスケール実験器具１などを収納するマイクロスケール実験キット４１は、マイクロスケール実験器具１ではマルチウェルプレート２と、蓋プレート３とからなるとともに、マイクロスケール実験キット４１では、収納部４２と、蓋部４３とからなり、これらは、射出成型や真空整形、プラスチックシート成型などで製造することができる。また、天面部と側面部とからなる既存のプラスチックケースに、切削加工や抜き打ち加工などで貫通孔を形成して調製することができる。特に、射出成型やシート成型によれば、安価に製造することができる。
【００８５】
本発明のマイクロスケール実験器具１およびマイクロスケール実験キット４１を構成する部材としては、ポリプロピレンなどのポリオレフィン系樹脂やポリアミド系樹脂、ポリスチレン、ポリエチレンテレフタレート、ポリカーボネート、ＡＢＳ、ＡＳなどを例示することができる。
【００８６】
以上詳述したように、本願発明のマイクロスケール実験器具１は、試料を収納する中空柱状のウェル４を形成したマルチウェルプレート２と、マルチウェルプレート２の上部を被覆する蓋プレート３とからなり、蓋プレート３は、少なくとも１つのウェル４と対向する位置に、シリンジ３７および板状部材を含む実験部材を支持する貫通孔２４を形成してなり、マルチウェルプレート２は、ウェル４の形成面とは反対側の下面１２に中空柱状の凹部１５を形成するとともに、マルチウェルプレート２の上面１１および下面１２の各外側縁部に側壁部１３，１４を形成したものである。なお、マルチウェルプレート２および蓋プレート３の形状および構成は、上述した本願の他、特開２０１１−１６０６９号に例示記載したものを用いてもよい。
【産業上の利用可能性】
【００８７】
本発明によれば、従来のマイクロスケール実験に使用するマルチウェルプレートとして、ウェルの上部に所定形状の貫通孔が形成された蓋部を装着してマイクロスケール実験器具とすることができ、安価に操作性に優れるマイクロスケール実験キットを調製することができ、有用である。
【符号の説明】
【００８８】
１    マイクロスケール実験器具
２    マルチウェルプレート
３    蓋プレート
４    ウェル
５    貫通部
１１    上面
１２    下面
１３，１４    側壁部
１５    凹部
２２    裏面
２５    環状突出部
２６，４３    蓋部
２７    凸部
２８    長穴部
２９    突出部
３０    穴部
４１    マイクロスケール実験キット
４２    収納部
４５，４６    支持部
【図１】
2014000503.tif 000003
【図２】
2014000503.tif 000004
【図３】
2014000503.tif 000005
【図４】
2014000503.tif 000006
【図５】
2014000503.tif 000007
【図６】
2014000503.tif 000008
【図７】
2014000503.tif 000009
【図８】
2014000503.tif 000010
【図９】
2014000503.tif 000011
【図１０】
2014000503.tif 000012
【図１１】
2014000503.tif 000013
【図１２】
2014000503.tif 000014
【図１３】
2014000503.tif 000015
【図１４】
2014000503.tif 000016
【図１５】
2014000503.tif 000017
【図１６】
2014000503.tif 000018
【図１７】
2014000503.tif 000019
【図１８】
2014000503.tif 000020
【図１９】
2014000503.tif 000021
【図２０】
2014000503.tif 000022
【図２１】
2014000503.tif 000023